(57)【要約】【課題】物資の提供を受ける人に物資を提供することができる発注量提示装置、発注量提示方法及び発注量提示プログラムを提供することである。【解決手段】実施形態の発注量提示装置は、決定部と、予測部と、提示部とを持つ。決定部は、備蓄される物資に予め定められた制約を表す情報である制約情報と、物資の提供を受ける人の特性に関する情報とに基づいて、予め定められた備蓄方針を満たすために必要とされる備蓄量である必要備蓄量を決定する。予測部は、将来における物資の備蓄量を予測する。提示部は、予測された物資の備蓄量である予測備蓄量が必要備蓄量未満である場合、必要備蓄量に対して予測備蓄量が不足している物資の発注量を提示する。【選択図】図１
2017054231.tif 000002
【特許請求の範囲】
【請求項１】
備蓄される物資に予め定められた制約を表す情報である制約情報と、前記物資の提供を受ける人の特性に関する情報とに基づいて、予め定められた備蓄方針を満たすために必要とされる備蓄量である必要備蓄量を決定する決定部と、
将来における前記物資の備蓄量を予測する予測部と、
予測された前記物資の備蓄量である予測備蓄量が前記必要備蓄量未満である場合、前記必要備蓄量に対して前記予測備蓄量が不足している前記物資の発注量を提示する提示部と、
を備える発注量提示装置。
【請求項２】
前記提示部は、前記予測備蓄量が前記必要備蓄量を超えている場合、前記必要備蓄量に対して前記予測備蓄量が過剰である前記物資を消費することを示す情報を提示する、請求項１に記載の発注量提示装置。
【請求項３】
前記物資の提供を受ける人の特性に関する情報は、身長、年齢、身体の代謝レベル、職種、妊娠中であること、授乳中であること、投薬状況、アレルギー、信仰、疾病、嚥下可能性又は成長段階を表す情報である、請求項１に記載の発注量提示装置。
【請求項４】
物資の発注量を提示する発注量提示装置における発注量提示方法であって、
備蓄される前記物資に予め定められた制約を表す情報である制約情報と、前記物資の提供を受ける人の特性に関する情報とに基づいて、予め定められた備蓄方針を満たすために必要とされる備蓄量である必要備蓄量を決定するステップと、
将来における前記物資の備蓄量を予測するステップと、
予測された前記物資の備蓄量である予測備蓄量が前記必要備蓄量未満である場合、前記必要備蓄量に対して前記予測備蓄量が不足している前記物資の発注量を提示するステップと、
を含む発注量提示方法。
【請求項５】
コンピュータに、
備蓄される物資に予め定められた制約を表す情報である制約情報と、前記物資の提供を受ける人の特性に関する情報とに基づいて、予め定められた備蓄方針を満たすために必要とされる備蓄量である必要備蓄量を決定する手順と、
将来における前記物資の備蓄量を予測する手順と、
予測された前記物資の備蓄量である予測備蓄量が前記必要備蓄量未満である場合、前記必要備蓄量に対して前記予測備蓄量が不足している前記物資の発注量を提示する手順と、
を実行させるための発注量提示プログラム。
【発明の詳細な説明】
【技術分野】
【０００１】
本発明の実施形態は、発注量提示装置、発注量提示方法及び発注量提示プログラムに関する。
【背景技術】
【０００２】
物資の消費期限を考慮して物資の備蓄量を管理する管理装置がある。しかしながら、従来の装置は、物資の提供を受ける人の特性に応じた物資を提供することができない場合があった。
【先行技術文献】
【特許文献】
【０００３】
【特許文献１】特開２０１４−１９１７９３号公報
【特許文献２】特開２０１０−１０８４６６号公報
【特許文献３】特開２００４−５４５１６号公報
【特許文献４】特開２００９−１１０２０８号公報
【特許文献５】特開２００２−１４０５９２号公報
【非特許文献】
【０００４】
【非特許文献１】“防災備蓄品受注在庫管理システム”、[online]、株式会社昭和商会、[平成27年7月17日検索]、インターネット<URL:http://www.showashokai.com/websystem.html>
【発明の概要】
【発明が解決しようとする課題】
【０００５】
本発明が解決しようとする課題は、物資の提供を受ける人の特性に応じた物資を提供することができる発注量提示装置、発注量提示方法及び発注量提示プログラムを提供することである。
【課題を解決するための手段】
【０００６】
実施形態の発注量提示装置は、決定部と、予測部と、提示部とを持つ。決定部は、備蓄される物資に予め定められた制約を表す情報である制約情報と、物資の提供を受ける人の特性に関する情報とに基づいて、予め定められた備蓄方針を満たすために必要とされる備蓄量である必要備蓄量を決定する。予測部は、将来における物資の備蓄量を予測する。提示部は、予測された物資の備蓄量である予測備蓄量が必要備蓄量未満である場合、必要備蓄量に対して予測備蓄量が不足している物資の発注量を提示する。
【図面の簡単な説明】
【０００７】
【図１】実施形態における、発注量提示装置の構成の例を示す図。
【図２】実施形態における、構成員特性情報の例を示す図。
【図３】実施形態における、制約情報の例を示す図。
【図４】実施形態における、物資特性情報の例を示す図。
【図５】実施形態における、備蓄量情報の例を示す図。
【図６】実施形態における、備蓄方針情報の例を示す図。
【図７】実施形態における、発注可能情報の例を示す図。
【図８】実施形態における、備蓄量の不足量情報の例を示す図。
【図９】実施形態における、備蓄量の予測値の例を時系列で示す図。
【図１０】実施形態における、発注情報の例を示す図。
【図１１】実施形態における、決定部の動作手順の例を示すフローチャート。
【図１２】実施形態における、予測部の動作手順の例を示すフローチャート。
【図１３】実施形態における、提示部の動作手順の例を示すフローチャート。
【発明を実施するための形態】
【０００８】
以下、実施形態の発注量提示装置、発注量提示方法及び発注量提示プログラムを、図面を参照して説明する。
図１は、発注量提示装置３０の構成の例を示す図である。発注量提示システム１は、備蓄される物資の発注量を提示する。発注量提示システム１は、物資の発注量を提示することによって、備蓄庫５０に備蓄される物資の備蓄量を調整する。物資は、例えば、非常食等の食糧、おむつ等の日用品、酸素ボンベ等の医療機器である。発注量提示システム１は、情報端末１０−１〜１０−Ｎ（Ｎは１以上の整数）と、登録装置２０と、発注量提示装置３０と、発注装置４０と、備蓄庫５０とを備える。
【０００９】
コミュニティの構成員は、構成員の特性（属性）が変化した際に情報端末１０を操作することによって、構成員（物資の提供を受ける人）の特性に関する情報（以下、「構成員特性情報」という。）を、情報端末１０から登録装置２０に送信させる。
【００１０】
情報端末１０は、スマートフォン端末、タブレット端末、パーソナルコンピュータ装置やサーバ装置等の情報処理装置である。情報端末１０は、構成員による操作に応じて、構成員特性情報を登録装置２０に送信する。これによって、コミュニティの構成員は、災害時等において、備蓄庫５０に備蓄されている物資の提供を受けることができる。
【００１１】
登録装置２０は、サーバ装置等の情報処理装置である。登録装置２０は、構成員特性情報を情報端末１０から取得した場合、構成員特性情報を発注量提示装置３０に登録する。登録装置２０は、発注量提示装置３０に登録されている構成員特性情報を、定期的に更新してもよい。
【００１２】
登録装置２０は、コミュニティの事業者が管理している顧客情報が更新された場合、構成員特性情報の変化を検出してもよい。事業者は、例えば、病院の事業者、老健施設の事業者、薬局の事業者である。顧客情報は、例えば、病院の電子カルテシステム、薬局の服用薬品情報である。登録装置２０は、構成員特性情報の変化を検出した場合、構成員特性情報を発注量提示装置３０に登録してもよい。登録装置２０は、コミュニティの事業者が管理している顧客情報を、構成員特性情報に変換してもよい。登録装置２０は、変換結果である構成員特性情報を、発注量提示装置３０に登録してもよい。
【００１３】
発注量提示装置３０は、パーソナルコンピュータ装置やサーバ装置等の情報処理装置である。発注量提示装置３０は、構成員特性情報記憶部３１と、制約情報記憶部３２と、決定部３３と、備蓄情報記憶部３４と、予測部３５と、備蓄方針情報記憶部３６と、発注可能情報記憶部３７と、提示部３８とを備える。
【００１４】
決定部３３と、予測部３５と、提示部３８とのうち一部または全部は、例えば、ＣＰＵ（Central Processing Unit）等のプロセッサが、記憶部に記憶されたプログラムを実行することにより機能するソフトウェア機能部である。また、これらの機能部のうち一部または全部は、ＬＳＩ（Large Scale Integration）やＡＳＩＣ（Application Specific Integrated Circuit）等のハードウェア機能部であってもよい。
【００１５】
構成員特性情報記憶部３１と、制約情報記憶部３２と、備蓄情報記憶部３４と、備蓄方針情報記憶部３６と、発注可能情報記憶部３７との各記憶部は、例えば、ＲＯＭ（Read Only Memory）、フラッシュメモリ、ＨＤＤ（Hard Disk Drive）などの不揮発性の記憶媒体（非一時的な記録媒体）を有する。各記憶部は、例えば、ＲＡＭ（Random Access Memory）やレジスタなどの揮発性の記憶媒体を有していてもよい。各記憶部は、例えば、ソフトウェア機能部を機能させるためのプログラムを記憶する。各記憶部は、例えば、自記憶部に記憶されている情報を更新するためのＣＰＵを有していてもよい。
【００１６】
構成員特性情報記憶部３１は、登録装置２０から取得した構成員特性情報を記憶する。構成員特性情報記憶部３１は、登録装置２０から取得した構成員特性情報を、構成員に割り当てられた識別情報（以下、「構成員識別情報」という。）に対応付けて記憶する。
【００１７】
図２は、構成員特性情報の例を示す図である。構成員特性情報は、例えば、身長、年齢、身体の代謝レベル、職種、妊娠中であること、授乳中であること、投薬状況、アレルギー、信仰、疾病、嚥下可能性、成長段階（幼児、小児、子供、青年、中年、年配）を表す情報である。図２では、構成員識別情報１００に対応付けられた構成員特性情報には、構成員識別情報１００が割り当てられた構成員が蟹アレルギーであることと、構成員識別情報１００が割り当てられた構成員が妊婦であることとが対応付けられている。構成員識別情報１０１に対応付けられた構成員特性情報には、構成員識別情報１０１が割り当てられた構成員が幼児であることが対応付けられている。
【００１８】
制約情報記憶部３２は、備蓄される物資に予め定められた制約（ルール）を表す情報(以下、「制約情報」という。）を記憶する。制約情報は、構成員の特性に対応付けられる。
【００１９】
図３は、制約情報の例を示す図である。図３では、制約情報は、構成員特性情報に対応付けられている。制約情報は、制約を表す文章や式によって表現される。図３では、構成員特性情報「妊婦」と、制約情報「ビタミンＡ＜５００」とが対応付けられている。構成員特性情報「幼児」と、制約情報「離乳食、ビタミンＡ＞２０００」とが対応付けられている。構成員特性情報「蟹アレルギー」と、制約情報「成分：蟹を含まない」とが対応付けられている。
【００２０】
決定部３３は、構成員特性情報を構成員特性情報記憶部３１から取得する。決定部３３は、制約情報を制約情報記憶部３２から取得する。決定部３３は、構成員特性情報と制約情報とに基づいて、物資の備蓄量であって備蓄方針を満たすために必要とされる備蓄量（以下、「必要備蓄量」という。）を、物資特性情報ごとに決定する。物資特性情報は、物資の特性を表す情報である。物資特性情報は、構成員識別情報（構成員）ごとの制約情報を含む。
【００２１】
図４は、物資特性情報の例を示す図である。図４では、１日あたりの必要備蓄量「３食」と、構成員識別情報１００が割り当てられた構成員の物資特性情報「１食あたりの非常食が、５００μｇ未満のビタミンＡを含むこと」とが対応付けられている。１日あたりの必要備蓄量「３食」と、構成員識別情報１０１が割り当てられた構成員の物資特性情報「１食あたりの離乳食が、２０００μｇを超えるビタミンＡを含むこと」とが対応付けられている。
【００２２】
備蓄情報記憶部３４は、備蓄量情報を記憶する。備蓄量情報は、備蓄庫５０における物資の最新の備蓄量（備蓄数）を示す情報である。備蓄情報記憶部３４は、例えば、物資の業者が備蓄庫５０に物資を備蓄した際に、備蓄量情報を更新してもよい。備蓄情報記憶部３４は、撮像された画像に基づいて備蓄庫５０における物資の備蓄量が確認可能である場合、備蓄庫５０における物資がカメラ５１（後述する）によって撮像された画像に基づいて、備蓄量情報を更新してもよい。備蓄情報記憶部３４は、例えば、備蓄庫５０から物資が提供された際に、備蓄量情報を更新してもよい。
【００２３】
図５は、備蓄量情報の例を示す図である。図５では、物資名と、消費期限（賞味期限）と、最新の備蓄量情報と、物資の成分（栄養素）とが対応付けられている。例えば、物資名「非常食セットＡ」と、消費期限「２か月」と、最新の備蓄量情報「１５」と、物資の成分「成分：小麦、ビタミンＡ：４００」とが対応付けられている。例えば、物資名「非常食セットＡ」と、消費期限「１年」と、最新の備蓄量情報「３」と、物資の成分「成分：小麦、ビタミンＡ：４００」とが対応付けられている。
【００２４】
予測部３５は、備蓄量情報に基づいて、将来における物資の備蓄量を物資名ごとに予測する。例えば、予測部３５は、物資の備蓄量の動態を消費期限に基づいて予測する。予測部３５は、備蓄量情報に基づいて、将来における物資の備蓄量を物資の成分ごとに予測してもよい。以下、物資の備蓄量であって予測された備蓄量を「予測備蓄量」という。
【００２５】
備蓄方針情報記憶部３６は、備蓄庫５０における物資の備蓄の方針（ポリシー）を表す情報（以下、「備蓄方針情報」という。）を記憶する。
【００２６】
図６は、備蓄方針情報の例を示す図である。備蓄方針情報は、例えば、期間に関する情報と、備蓄された物資の購入価格に関する情報と、制約情報の優先度に関する情報とを含む。期間に関する情報は、例えば、物資を備蓄する期間を表す情報、消費期限が残り１か月以下となった物資の名称等を提示部３８が提示することを表すスケジュール情報である。備蓄された物資を購入する予算に関する情報は、複数の物資の購入価格が発注単位で最安であることを表す情報、物資を購入する予算を表す情報である。制約情報の優先度に関する情報は、例えば、制約情報が示す成分量に対して物資のナトリウム量が８０％以上である場合、制約情報が示すエネルギー量の達成を優先することを表す情報である。
【００２７】
なお、備蓄方針情報は、例えば、予測備蓄量と必要備蓄量とを等しくすることを表す情報を含んでもよい。すなわち、備蓄方針情報は、例えば、等式（予測備蓄量＝必要備蓄量）を表す情報を含んでもよい。備蓄方針情報は、例えば、予測備蓄量が必要備蓄量を充足することを表す情報を含んでもよい。すなわち、備蓄方針情報は、例えば、不等式（予測備蓄量＞必要備蓄量）を表す情報を含んでもよい。
【００２８】
図６には、備蓄方針の一例として、発注量提示システム１は現在から６か月後でも提供開始が可能であるように物資を備蓄庫５０に備蓄する、という方針が示されている。備蓄方針の一例として、発注量提示システム１は構成員ごとに３日分以上の物資をコミュニティの全ての構成員に提供する、という方針が示されている。また、備蓄方針の一例として、複数の物資の購入価格が発注単位で最安である、という方針が示されている。
【００２９】
発注可能情報記憶部３７は、発注可能である物資に関する情報（以下、「発注可能情報」という。）を記憶する。発注可能情報記憶部３７は、発注可能情報を定期的に更新する。
【００３０】
図７は、発注可能情報の例を示す図である。発注可能情報では、物資名と、単価と、発注可能量と、物資の成分（栄養素）とが対応付けられている。発注可能情報では、消費期限（賞味期限）が更に対応付けられていてもよい。図７では、物資名「非常食セットＡ」と、単価「１００」と、発注可能量「３」と、物資の成分「成分：小麦、ビタミンＡ：４００」とが対応付けられている。物資名「非常食セットＢ」と、単価「５００」と、発注可能量「３０」と、物資の成分「成分：蕎麦」とが対応付けられている。物資名「離乳食セットＣ」と、単価「３００」と、発注可能量「３０」と、物資の成分「離乳食、成分：蟹」とが対応付けられている。
【００３１】
提示部３８は、備蓄方針に予測備蓄量が違反しているか否かを判定する。提示部３８は、予測備蓄量が備蓄方針に違反している場合、違反に関する情報を提示する。提示部３８は、違反に関する情報を、例えば表示装置に表示させる。違反に関する情報は、例えば、違反の内容を表す文章を含む情報である。
【００３２】
なお、提示部３８は、最新の備蓄量と必要備蓄量とを比較して、最新の備蓄量が備蓄方針に反しているか否かを物資名ごとに判定してもよい。すなわち、提示部３８は、現在の備蓄量と現在の必要備蓄量とを比較して、現在の備蓄量が備蓄方針に反しているか否かを物資名ごとに判定してもよい。
【００３３】
提示部３８は、予測備蓄量が必要備蓄量を超えているために備蓄方針に違反している場合、必要備蓄量に対して予測備蓄量が過剰である物資を払い出すことを示す情報を提示する。払い出しでは、過剰に備蓄されている物資は、例えば、無償又は低価格で販売されることによって消費される。払い出しでは、過剰に備蓄されている非常食は、例えば、試食会が開催されることによって消費される。提示部３８は、物資の残りの消費期限が閾値よりも短いために備蓄方針に違反している場合、残りの消費期限が閾値よりも短い物資を払い出すことを示す情報を提示してもよい。提示部３８は、残りの消費期限が閾値以内である物資の物資名を、受託業者に提示してもよい。
【００３４】
提示部３８は、予測備蓄量が必要備蓄量未満であるために備蓄方針に違反している場合、必要備蓄量に対して予測備蓄量が不足している物資の発注量を、図７に示す発注可能情報と必要備蓄量とに基づいて提示する。備蓄庫５０の管理者は、提示部３８によって提示された物資の発注量に基づいて、物資を発注することができる。
【００３５】
図８は、備蓄量の不足量情報の例を示す図である。不足量情報とは、不足量を表す情報である。図８では、不足量情報と、物資特性情報と、物資名とが対応付けられている。物資特性情報と物資名とには、不足量情報の代わりに過剰量情報が対応付けられてもよい。過剰量情報とは、過剰量を表す情報である。
【００３６】
図８では、蟹を含まない非常食であって「ビタミンＡ＜５００」を満たす非常食の予測備蓄量が、現在から２か月後に、必要備蓄量に対して６だけ不足することが示されている。蟹を含まない非常食であって「ビタミンＡ＜５００」を満たす非常食は、例えば、非常食セットＡ又は非常食セットＢであることが示されている。
【００３７】
図８では、「ビタミンＡ＞２０００」を満たす離乳食の予測備蓄量が、現在から２か月後に、必要備蓄量に対して９だけ不足することが示されている。「ビタミンＡ＞２０００」を満たす離乳食は、例えば、離乳食セットＣであることが示されている。
【００３８】
図９は、備蓄量の予測値の例を時系列で示す図である。縦軸は、非常食セットＡの備蓄量を示す。横軸は時間を示す。図５に示す備蓄量情報に示されているように、非常食セットＡの最新の備蓄量は、１８（＝１５＋３）である。図５に示す備蓄量情報に示されているように、非常食セットＡの残りの消費期限のうち最も短い期限は２か月であるため、現在から２か月後に、非常食セットＡの備蓄量は、３（＝１８−１５）になる。図６に示す備蓄方針情報に示されているように、現在から６か月後でも提供開始が可能であるように物資を備蓄庫に備蓄する方針に基づいて、提示部３８は、２か月後から６か月後までの予測備蓄量が備蓄方針に違反していると判定する。図９では、２か月後から６か月後までの予測備蓄量が必要備蓄量に対して、６（＝９−３）だけ不足している。
【００３９】
提示部３８は、発注可能である物資の予測備蓄量と必要備蓄量とが等しくなる発注量を提示する。提示部３８は、発注可能である物資の予測備蓄量が必要備蓄量よりも多くなる発注量を提示してもよい。提示部３８は、複数の物資の購入価格が発注単位で最安となるように、複数の物資の発注量を提示してもよい。提示部３８は、例えば、物資名の異なる複数の物資を組み合わせることによって、複数の物資の購入価格が発注単位で安くなるようにしてもよい。
【００４０】
図１０は、発注情報の例を示す図である。提示部３８は、発注量を表す情報を含む発注情報を提示してもよい。発注情報では、物資名と発注量と価格とが対応付けられている。図１０では、物資名「非常食セットＡ」と発注量「３」と価格「３００」とが対応付けられている。物資名「非常食セットＢ」と発注量「３」と価格「１，５００」とが対応付けられている。物資名「離乳食セットＣ」と発注量「９」と価格「２，７００」とが対応付けられている。
【００４１】
図７に示す発注可能情報に示されているように、非常食セットＡの単価は、非常食セットＢの単価よりも安い。提示部３８は、非常食セットＡと非常食セットＢとを組み合わせる場合、単価の安い非常食セットＡを優先して購入することによって、複数の物資の購入価格が発注単位で最安となるようにしてもよい。
【００４２】
発注装置４０は、パーソナルコンピュータ装置やサーバ装置等の情報処理装置である。発注装置４０は、操作部４１と制御部４２と通信部４３とを備える。備蓄庫５０の管理者は、提示された物資の発注量に基づいて操作部４１を操作する。操作部４１は、備蓄庫５０の管理者による操作を受け付ける。制御部４２は、操作に応じた信号を操作部４１から取得する。操作に応じた信号は、図１０に示す発注情報を含む。制御部４２は、発注情報を通信部４３に転送する。通信部４３は、物資を扱う業者の通信装置に、発注情報を送信してもよい。これによって、提示部３８によって提示された物資は、物資を扱う業者に発注される。
【００４３】
備蓄庫５０は、発注を受けた業者から納品された物資を備蓄するための倉庫である。備蓄庫５０には、例えば、発注装置４０によって発注された物資が備蓄される。備蓄庫５０は、カメラ５１を備えてもよい。カメラ５１は、撮像装置である。カメラ５１は、備蓄されている物資を撮像する。備蓄情報記憶部３４は、カメラ５１によって物資が撮像された画像に基づいて、備蓄量情報を更新してもよい。
【００４４】
次に、発注量提示装置３０の動作手順の例を説明する。
図１１は、決定部３３の動作手順の例を示すフローチャートである。決定部３３は、構成員特性情報を構成員特性情報記憶部から取得する（ステップＳ１０１）。決定部３３は、制約情報記憶部３２から制約情報を取得する（ステップＳ１０２）。決定部３３は、構成員特性情報と制約情報とに基づいて、必要備蓄量を決定する（ステップＳ１０３）。
【００４５】
図１２は、予測部３５の動作手順の例を示すフローチャートである。予測部３５は、備蓄情報記憶部３４から備蓄情報を取得する（ステップＳ２０１）。予測部３５は、備蓄情報に基づいて、将来における物資の備蓄量を予測する（ステップＳ２０２）。
【００４６】
図１３は、提示部３８の動作手順の例を示すフローチャートである。図１３に示す動作手順は、図１１に示す動作手順と、図１２に示す動作手順とが実行された後に実行される。提示部３８は、必要備蓄量を示す情報と、備蓄量情報と、備蓄方針情報とを取得する。
【００４７】
提示部３８は、必要備蓄量を示す情報と、予測備蓄量を示す情報と、備蓄方針情報とを取得する（ステップＳ３０１）。提示部３８は、予測備蓄量が備蓄方針に違反しているか否かを判定する（ステップＳ３０２）。予測備蓄量が備蓄方針に違反していない場合（ステップＳ３０２：Ｎｏ）、提示部３８は処理を終了する。予測備蓄量が備蓄方針に違反している場合（ステップＳ３０２：Ｙｅｓ）、提示部３８は、予測備蓄量が必要備蓄量を超えているか否かを判定する（ステップＳ３０３）。
【００４８】
予測備蓄量が必要備蓄量を超えている場合（ステップＳ３０３：Ｙｅｓ）、提示部３８は、必要備蓄量に対して予測備蓄量が過剰である物資を払い出すことを示す情報を提示する（ステップＳ３０４）。予測備蓄量が必要備蓄量以下である場合（ステップＳ３０３：Ｎｏ）、提示部３８は、予測備蓄量が必要備蓄量未満であるか否かを判定する（ステップＳ３０５）。
【００４９】
予測備蓄量が必要備蓄量と等しい場合（ステップＳ３０５：Ｎｏ）、提示部３８は処理を終了する。予測備蓄量が必要備蓄量未満である場合（ステップＳ３０５：Ｙｅｓ）、提示部３８は、発注可能情報を取得する（ステップＳ３０６）。提示部３８は、不足している物資の発注量を、必要備蓄量及び発注可能情報に基づいて提示する（ステップＳ３０７）。
【００５０】
以上のように、実施形態の発注量提示装置３０は、決定部３３と、予測部３５と、提示部３８とを持つ。決定部３３は、制約情報と、物資の提供を受ける人（構成員）の特性に関する情報（構成員特性情報）とに基づいて、必要備蓄量を決定する。予測部は、将来における物資の備蓄量を予測する。提示部３８は、予測備蓄量が必要備蓄量未満である場合、必要備蓄量に対して予測備蓄量が不足している物資の発注量を提示する。
【００５１】
これによって、実施形態の発注量提示装置３０は、物資の提供を受ける人（構成員）の特性に応じた物資を提供することが可能となる。
【００５２】
コミュニティの構成員は、災害時などに、備蓄方針に基づいて適切に備蓄された物資の配給を受けることができる。コミュニティの構成員は、疾病、アレルギー又は妊娠状況などに応じて適切に備蓄された食糧の配給を受けることができる。
【００５３】
なお、図１に示す発注量提示装置３０と発注装置４０と備蓄庫５０とは、有線又は無線の通信によって接続されていてもよい。例えば、備蓄庫５０のカメラ５１は、備蓄庫５０に備蓄されている物資の画像を、備蓄情報記憶部３４に記憶させる。これによって、提示部３８は、カメラ５１が撮像した物資の画像に基づいて、物資の備蓄量が過剰であるか又は不足であるかを検知することができる。例えば、発注量提示装置３０の提示部３８は、発注装置４０の通信部４３に発注情報を送信する。通信部４３は、物資を扱う業者の通信装置に発注情報を送信する。これによって、発注量提示装置３０は、提示部３８から取得した発注情報に基づいて、物資を発注することができる。発注量提示装置３０は、提示部３８から取得した発注情報に基づいて、物資を払い出すことができる。したがって、実施形態の発注量提示装置３０は、物資の在庫確認から物資の発注及び払い出しまでを自動化することができる。
【００５４】
以上述べた少なくともひとつの実施形態によれば、備蓄される物資に予め定められた制約を表す情報である制約情報と、物資の提供を受ける人の特性に関する情報とに基づいて、予め定められた備蓄方針を満たすために必要とされる備蓄量である必要備蓄量を決定する決定部を持つことにより、物資の提供を受ける人の特性に応じた物資を提供することができる。
【００５５】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５６】
１…発注量提示システム、１０…情報端末、２０…登録装置、３０…発注量提示装置、３１…構成員特性情報記憶部、３２…制約情報記憶部、３３…決定部、３４…備蓄情報記憶部、３５…予測部、３６…備蓄方針情報記憶部、３７…発注可能情報記憶部、３８…提示部、４０…発注装置、４１…操作部、４２…制御部、４３…通信部、５０…備蓄庫、５１…カメラ
【図１】
2017054231.tif 000003
【図２】
2017054231.tif 000004
【図３】
2017054231.tif 000005
【図４】
2017054231.tif 000006
【図５】
2017054231.tif 000007
【図６】
2017054231.tif 000008
【図７】
2017054231.tif 000009
【図８】
2017054231.tif 000010
【図９】
2017054231.tif 000011
【図１０】
2017054231.tif 000012
【図１１】
2017054231.tif 000013
【図１２】
2017054231.tif 000014
【図１３】
2017054231.tif 000015